(57)【特許請求の範囲】
【請求項１】
複数の番組情報表示領域が縦横に配置された電子番組表を作成する電子番組表作成手段と、
方向キーの押下によって生じる信号を検知する方向キー信号検知手段と、
前記電子番組表において特定の番組表示領域を示すカーソルを表示し、前記方向キー信号検知手段による信号の検知に応じて、前記検知された信号に対応する方向キーの方向における隣の番組情報表示領域に前記カーソルを移動するカーソル制御手段とを備え、
前記カーソル制御手段は、
前記方向キー信号検知手段が前記方向キーの押下によって生じる検知信号を検知すると、最初は待機時間なしで前記方向キーの方向における隣の番組情報表示領域に前記カーソルを移動し、
当該検知した方向キーの押下によって生じる検知信号を検知し続けている間は、予め決められた待機時間の経過後に前記方向キーの方向におけるさらに隣の番組情報表示領域に前記カーソルを移動し、その後は、前記カーソルが現在位置する番組情報表示領域の前記方向キーの方向における幅に応じた待機時間が経過する度に、前記方向キーの方向における隣の番組情報表示領域に前記カーソルを移動することを繰り返すことを特徴とするテレビジョン放送受信装置。
【請求項２】
前記方向キーの方向における幅に応じた前記待機時間は、前記カーソルが現在位置する番組情報表示領域の前記方向キーの方向における幅に比例することを特徴とする請求項１記載のテレビジョン放送受信装置。
【請求項３】
複数の番組情報表示領域が縦横に配置された電子番組表を作成する電子番組表作成ステップと、
特定の前記番組情報表示領域にカーソルを表示するカーソル表示ステップと、
方向キーの押下によって生じる信号を検知する方向キー信号検知ステップと、
前記方向キー信号検知ステップにおいて前記方向キーの押下によって生じる検知信号を検知すると、最初は待機時間なしで前記方向キーの方向における隣の番組情報表示領域に前記カーソルを移動し、
当該検知した方向キーの押下によって生じる検知信号を検知し続けている間は、予め決められた待機時間の経過後に前記方向キーの方向におけるさらに隣の番組情報表示領域に前記カーソルを移動し、その後は、前記カーソルが現在位置する番組情報表示領域の前記方向キーの方向における幅に応じた待機時間が経過する度に、前記方向キーの方向における隣の番組情報表示領域に前記カーソルを移動することを繰り返すステップとを含むことを特徴とするカーソル移動制御方法。
【請求項４】
前記方向キーの方向における幅に応じた前記待機時間は、前記カーソルが現在位置する番組情報表示領域の前記方向キーの方向における幅に比例することを特徴とする請求項３記載のカーソル移動制御方法。
【発明の詳細な説明】
【技術分野】
【０００１】
本発明は、テレビジョン放送を受信し、電子番組表を出力可能なテレビジョン放送受信装置に関する。
【０００２】
本発明は、電子番組表におけるカーソルの移動を制御するカーソル移動制御方法にも関する。
【背景技術】
【０００３】
近年、テレビジョン放送もアナログ放送からデジタル放送に急速に移行している。このデジタル放送では、アナログ放送に比べて多チャンネル化が図られると同時に、受信機での番組選択に必要な情報（番組情報）をサービス情報として番組と共に伝送している。ユーザは、この番組情報を受信機の表示画面に表示し、放送番組の確認、視聴予約、録画予約等に利用することができる。
【０００４】
図４は、電子番組表の一例を示す図である。電子番組表においては、各放送局の放送番組の情報が表示される番組情報表示領域が放送時間順に縦方向に並べられたものが横方向に並べられている。ユーザはリモコン装置や本体パネルに設けられた方向キーでカーソルを移動して番組を選択し、選択した番組の予約や番組情報の表示などを行うことができる。
【０００５】
地上波放送や衛星放送では放送局の数も多く、予約することなどを考慮すると電子番組表ではできるだけ先の番組まで表示することが望ましいため、電子番組表をテレビジョン受像機の表示画面に一度に表示するのは困難である。そこで、電子番組表を一部だけ表示し、カーソルが画面の端に来たらスクロールさせて隠れていた部分を表示させることが行われている。
【０００６】
特許文献１には、番組情報をスクロールする際、表示している番組情報の所定の特性を元にスクロール速度を調整し、重要な番組情報を見やすくする方法が記載されている。
【０００７】
【特許文献１】特開２００１−２５１５６９号公報
【発明の開示】
【発明が解決しようとする課題】
【０００８】
衛星放送などでは、放送局が割り当てられた周波数帯域を分割し、複数の放送を行うことが行われている。このような場合、個々の番組情報が表示される番組情報表示領域は縦に分割され、横幅が狭くなってしまう。例えば、図４における４、５時台のＹＹテレビのような状態である。また、短い番組が連続するような場合、所定の時間に多くの縦幅が狭い番組情報表示領域が含まれてしまう場合がある。例えば、図４における５時台のＸＸテレビのような状態である。
【０００９】
電子番組表において、カーソルは方向キーを押すたびに待機時間なしで１つとなりの番組情報表示領域に移動する。方向キーを押し続けると、キーリピート処理が行われ、連続してカーソルを移動させることができる。
【００１０】
図５は、従来の電子番組表におけるキーリピートによるカーソル移動を説明する図である。リモコン装置又は本体パネルの方向キー（本例では右方向キー）を押し続けると、最初にＸＸテレビの番組情報表示領域にあったカーソルは、待機時間なしで隣のＸＹテレビの番組情報表示領域に移動する。キーリピート開始までには予め決められた時間Δｔ１掛かり、この時間が経過するまでカーソルはＸＹテレビの番組情報表示領域に待機する。時間Δｔ１が経過すると、カーソルは隣のＸＺテレビの番組情報表示領域に移動する。これ以降は、キーリピート間隔Δｔ２で次々に隣の番組情報表示領域に移動する。通常は、キーリピート開始までの待機時間Δｔ１は、キーリピート間隔Δｔ２より長く設定されている。
【００１１】
図５に示す例において、ＹＹテレビのように番組情報表示領域が分割されている場合も、同様にキーリピートΔｔ２で隣の番組情報表示領域に移動する。したがって、ＹＹテレビの番組情報表示領域からＺＺテレビの番組情報表示領域に移動するには、通常の３倍、３×Δｔ２の時間がかかることになる。
【００１２】
このように、幅が狭い番組情報表示領域が多くあると、カーソルを目的の場所に移動するまでに多くのステップを要するため、時間がかかるという問題があった。
【００１３】
本発明は、このような実情を鑑みてなされたものであり、電子番組表のある地点から別の地点へのカーソルの移動において、途中に幅が狭い番組情報表示領域がある場合でも、素早く目的の地点へカーソルを移動することができるテレビジョン放送受信装置を提供する。
【００１４】
本発明は、さらに、電子番組表のある地点から別の地点へのカーソルの移動において、途中に幅が狭い番組情報表示領域がある場合でも、素早く目的の地点へカーソルを移動することができるカーソル移動制御方法も提供する。
【課題を解決するための手段】
【００１５】
本発明のテレビジョン放送受信装置は、複数の番組情報表示領域が縦横に配置された電子番組表を作成する電子番組表作成手段と、方向キーの押下によって生じる信号を検知する方向キー信号検知手段と、前記電子番組表において特定の番組表示領域を示すカーソルを表示し、前記方向キー信号検知手段による信号の検知に応じて、前記検知された信号に対応する方向キーの方向における隣の番組情報表示領域に前記カーソルを移動するカーソル制御手段とを備え、前記カーソル制御手段は、前記方向キー信号検知手段が前記方向キーの押下によって生じる信号を検知している間、前記カーソルが現在位置する番組情報表示領域の前記方向キーの方向における幅に応じた待機時間が経過した後、前記方向キーの方向における隣の番組情報表示領域に前記カーソルを移動することを特徴とする。番組情報表示領域の幅に応じて待機時間を設定することにより、幅の狭い番組表示領域を素早く通り過ぎるようにすることができる。
【００１６】
前記カーソル制御手段は、前記方向キー信号検知手段が前記方向キーの押下によって生じる信号を検知すると、最初は待機時間なしで前記方向キーの方向における隣の番組情報表示領域に前記カーソルを移動し、次に予め決められた待機時間の経過後に前記方向キーの方向における隣の番組情報表示領域に前記カーソルを移動し、その後、前記カーソルが現在位置する番組情報表示領域の前記方向キーの方向における幅に応じた待機時間が経過した後、前記方向キーの方向における隣の番組情報表示領域に前記カーソルを移動するようにしてもよい。このようにすることで、方向キーを押下したらすぐに次の番組表示領域に移動し、さらに次の番組表示領域に移動する前にキーリピート開始までの待機時間を設けることができる。
【００１７】
前記方向キーの方向における幅に応じた前記待機時間は、前記方向キーの方向における幅に比例するようにしてもよい。このようにすることで、幅の狭い番組表示領域があっても、一定の速度で電子番組表中を移動することができる。
【００１８】
本発明のカーソル移動制御方法は、複数の番組情報表示領域が縦横に配置された電子番組表を作成する電子番組表作成ステップと、特定の前記番組情報表示領域にカーソルを表示するカーソル表示ステップと、方向キーの押下によって生じる信号を検知する方向キー信号検知ステップと、前記方向キーの押下によって生じる信号を検知している間、前記カーソルが現在位置する番組情報表示領域の前記方向キーの方向における幅に応じた待機時間が経過した後、前記方向キーの方向における隣の番組情報表示領域に前記カーソルを移動するカーソル移動ステップとを含むことを特徴とする。
【発明の効果】
【００１９】
本発明のテレビジョン放送受信装置は、電子番組表のある地点から別の地点へのカーソルの移動において、途中に幅が狭い番組情報表示領域がある場合でも、素早く目的の地点へカーソルを移動することができる。
【発明を実施するための最良の形態】
【００２０】
図１は、本発明のテレビジョン放送受信装置の構成の一例を示すブロック図である。本例のテレビジョン放送受信装置は、テレビジョン受像機である。
【００２１】
本テレビジョン放送受信装置は、チューナ部１０１と、デマルチプレクサ１０２と、番組情報デコード部１０３と、映像・音声デコード部１０４と、ＥＰＧ構成部１０５と、画面合成部１０６と、表示部１０７と、音声出力部１０８と、操作受付部１０９と、制御部１１０と、メモリ１１１とを備える。
【００２２】
チューナ部１０１は、衛星アンテナや地上波アンテナにより受信された、又は、ケーブル放送によって供給された複数の放送波から任意の放送波を選択し、デマルチプレクサ１０２に供給する。デマルチプレクサ１０２は、この選択された放送波に含まれる複数のチャンネルからデマルチプレクス処理によって任意のチャンネルのデジタル信号を選択し、映像・音声デコード部１０４に供給し、番組情報を番組情報デコード部１０３に供給する。映像・音声デコード部１０４は、選択されたチャンネルのディジタル信号をデコードすることによって映像・音声信号を得て、映像信号を画面合成部１０６に供給し、音声信号を音声出力部１０８に供給する。番組情報デコード部１０３は、番組情報をデコードし、ＥＰＧ構成部１０５に供給する。ＥＰＧ構成部１０５は、デコードされた番組情報を元にＥＰＧ画面を構成し、画面合成部１０６に供給する。画面合成部１０６は、番組の映像信号やＥＰＧ画面、予約画面等を合成し、表示部１０７に供給する。表示部１０７は液晶ディスプレイ等であり、番組の映像や各種制御画面等を表示する。音声出力部１０８は、増幅器やスピーカ等から成り、番組の音声や警告音等を出力する。メモリ１１１には、番組情報や予約情報が格納される。
【００２３】
これらの各部は、制御部１１０によって制御される。制御部１１０は、リモコン装置又は本体の操作ボタン（図示せず）からの制御信号を操作受付部１０９を経て受け、電子番組表におけるカーソル移動等のユーザ操作を受け付け、画面合成部１０６を制御して電子番組表の表示に反映させる。
【００２４】
電子番組表は、図４に示すように、番組情報が表示される番組情報表示領域が縦横に配置されているものである。番組情報表示領域の１つにはカーソルが位置する。カーソルは、例えば、カーソルが位置する番組表示領域が、カーソルが位置しない他の番組情報表示領域と異なる色で表示されることによって示される。リモコン又は本体に設けられた方向キーによってカーソルを所定の番組表示領域に移動させることができる。
【００２５】
リモコン装置又は本体に設けられた方向キーが押下されることによって生じる方向キー押下信号を操作受付部１０９が検知すると、制御部１１０は、カーソルをこの方向キー押下信号に対応する方向キーの方向において１つ隣の番組表示領域に待機時間なしで移動させる。
【００２６】
方向キーが押下され続け、方向キー押下信号が検知され続けると、予め決められた待機時間の経過後、カーソルをさらに１つ隣の番組表示領域に移動させる。さらに方向キーが押下され続け、方向キー押下信号が検知され続けると、キーリピート処理に入り、現在位置する番組表示領域の押下されている方向キーの方向における幅に応じた待機時間の経過後、カーソルをさらに１つ隣の番組表示領域に移動させる。この処理を、方向キーが押下され続け、方向キー押下信号が検知され続けている間行う。
【００２７】
図２は、本発明のテレビジョン放送受信装置の動作の一例を説明するフローチャートである。ステップＳ２０１において、リモコン装置における方向キーの押下を検知する。ステップＳ２０２において、ステップＳ２０１の方向キーの押下の検知から待機時間なしで、検知した方向キーに対応する方向における１つ隣の番組情報表示領域にカーソルを移動する。
【００２８】
ステップＳ２０３において、待機時間Ｔを、キーリピート開始までの待機時間Δｔ１に設定する。ステップＳ２０４において、待機時間Ｔが経過するまで待機する。ステップＳ２０５において、リモコン装置における方向キーがまだ押下されているかどうかを判定する。方向キーがもう押下されていない場合、動作を終了する。
【００２９】
方向キーがまだ押下されている場合、ステップＳ２０６において、方向キーに対応する方向における１つ隣の番組情報表示領域にカーソルを移動する。すなわち、方向キーを押下してすぐに移動した番組情報表示領域からさらに隣の番組情報表示領域にカーソルが移動するまでには、Δｔ１かかる。
【００３０】
ステップＳ２０７において、待機時間Ｔを、カーソルが位置する番組情報表示領域の方向キーに対応する方向における幅ｄに応じた（例えば、比例した）キーリピート間隔ｆ（ｄ）に設定する。再びステップＳ２０４に戻り、待機時間Ｔが経過するまで待機する。ステップＳ２０５において、リモコン装置における方向キーがまだ押下されているかどうかを判定する。方向キーがもう押下されていない場合、動作を終了する。方向キーがまだ押下されている場合、ステップＳ２０６において、方向キーに対応する方向における１つ隣の番組情報表示領域にカーソルを移動する。
【００３１】
すなわち、キーリピートが開始されると、カーソルが位置する番組情報表示領域の幅に応じた待機時間ｆ（ｄ）が経過した後にカーソルは隣の番組情報表示領域に移動することになり、幅が広い番組情報表示領域はゆっくりと通り過ぎ、幅が狭い番組情報表示領域は早く通り過ぎるようにすることができ、全体としてカーソルが一定の速度で移動するようにすることができる。
【００３２】
図３は、本発明のテレビジョン放送受信装置の電子番組表におけるキーリピートによるカーソル移動を説明する図である。リモコン装置の方向キー（本例では右方向キー）を押し続けると、最初にＸＸテレビの番組情報表示領域にあったカーソルは、待機時間なしで隣のＸＹテレビの番組情報表示領域に移動する。キーリピート開始までには予め決められた時間Δｔ１掛かり、この時間が経過するまでカーソルはＸＹテレビの番組情報表示領域に待機する。時間Δｔ１が経過すると、カーソルは隣のＸＺテレビの番組情報表示領域に移動する。
【００３３】
カーソルが位置するＸＺテレビの番組情報表示領域をＷとすると、キーリピート間隔はｆ（Ｗ）に設定される。カーソルはキーリピート間隔ｆ（Ｗ）が経過すると、隣のＹＹテレビの番組情報表示領域に移動する。
【００３４】
ＹＹテレビの番組情報表示領域は、各々幅がＷ／３の３つの番組情報表示領域に分割されている。カーソルは先ず第１の番組情報表示領域に移動する。この番組情報表示領域の幅はＷ／３なので、キーリピート間隔はｆ（Ｗ／３）に設定される。ｆ（Ｗ／３）はｆ（Ｗ）の１／３の長さである。カーソルはキーリピート間隔ｆ（Ｗ／３）が経過すると、隣の第２の番組情報表示領域に移動する。このキーリピート間隔は、分割されていないＸＺテレビの番組情報表示領域におけるキーリピート間隔の１／３である。
【００３５】
第２の番組情報表示領域の幅もＷ／３なので、キーリピート間隔はｆ（Ｗ／３）に設定される。カーソルはキーリピート間隔ｆ（Ｗ／３）が経過すると、隣の第３の番組情報表示領域に移動する。第３の番組情報表示領域の幅もＷ／３なので、キーリピート間隔はｆ（Ｗ／３）に設定される。カーソルはキーリピート間隔ｆ（Ｗ／３）が経過すると、隣のＺＺテレビの番組情報表示領域に移動する。
【００３６】
各々が分割されていないＸＺテレビの番組情報表示領域の幅Ｗの１／３の幅Ｗ／３を有するＹＹテレビの第１〜第３の番組情報表示領域の各々において待機する時間であるキーリピート間隔ｆ（Ｗ／３）は、ＸＺテレビの番組情報表示領域において待機する時間であるキーリピート間隔ｆ（Ｗ）の１／３である。したがって、ＹＹテレビの番組情報表示領域全体で待機する時間は３×ｆ（Ｗ／３）であり、ＸＺテレビの番組情報表示領域で待機する時間ｆ（Ｗ）と同じになる。
【００３７】
以上説明したように、本発明のテレビジョン放送受信装置によれば、電子番組表のある地点から別の地点への移動において、途中に幅が狭い番組情報表示領域がある場合でも、素早く目的の地点へ移動することができる。
【００３８】
上記説明では、横方向の幅が狭い番組情報表示領域がある場合について説明したが、縦方向の幅が狭い番組情報表示領域がある場合についても同様の処理を行う。
【００３９】
また、画面をスクロールさせる場合も同様の処理でカーソルを隣の番組情報表示領域に移動させる。
【００４０】
従来のようにリモコン装置の方向キーをその都度短時間押してキーリピートさせずに１つずつカーソルを移動させることもできるので、目的の番組情報表示領域の幅が狭くても、カーソルを合わせるのは容易である。
【００４１】
上記実施の形態では、本発明のテレビジョン放送受信装置をテレビジョン受像機とした例を説明したが、本発明のテレビジョン放送受信装置は、テレビジョン受像機に限定されず、例えば、ハードディスクレコーダ、ＤＶＤレコーダ、ハイブリッドレコーダ、ビデオレコーダなどの、テレビジョン放送を受信し電子番組表を出力できる装置であれば、どのような装置にも適用可能である。
【００４２】
また、本発明は、本発明のカーソル移動制御方法を種々の機器において実行させるプログラムであってもよい。また、このようなプログラムを格納した種々の媒体であってもよい。また、このようなプログラムは、インターネットのような種々のネットワークからダウンロード可能であってもよい。
【産業上の利用可能性】
【００４３】
本発明は、テレビジョン放送を受信し、電子番組表を出力可能なテレビジョン放送受信装置に利用可能である。
【図面の簡単な説明】
【００４４】
【図１】本発明のテレビジョン放送受信装置の構成の一例を示すブロック図である。
【図２】本発明のテレビジョン放送受信装置の動作の一例を説明するフローチャートである。
【図３】本発明のテレビジョン放送受信装置の電子番組表におけるキーリピートによるカーソル移動を説明する図である。
【図４】電子番組表の一例を示す図である。
【図５】従来の電子番組表におけるキーリピートによるカーソル移動を説明する図である。
【符号の説明】
【００４５】
１０１  チューナ部
１０２  デマルチプレクサ部
１０３  番組情報デコード部
１０４  映像・音声信号デコード部
１０５  ＥＰＧ構成部
１０６  画面合成部
１０７  表示部
１０８  音声出力部
１０９  操作受付部
１１０  制御部
１１１  メモリ
【図１】
0005059574.tif 000002
【図２】
0005059574.tif 000003
【図３】
0005059574.tif 000004
【図４】
0005059574.tif 000005
【図５】
0005059574.tif 000006